(57)【要約】【課題】容易に光出力特性を補正することができる照明機器を提供すること。【解決手段】実施形態に係る照明機器１０は、記憶部１３と、光源部１６と、制御部１５とを具備する。記憶部１３は、照明機器１０が所定時に指定される第１の出力指示信号に応じて出力される光の光出力特性を、第１の出力指示信号に応じた基準値に補正する換算情報を記憶し、光源部１６は、光を出力する。制御部１５は、光源部１６を動作させる際に指定される第２の出力指示信号を受信すると、換算情報を用いて、光出力特性を基準値に補正し、補正した光出力特性で光が出力されるよう光源部１６を制御する。【選択図】図２
2018055858.tif 000002
【特許請求の範囲】
【請求項１】
照明機器であって、
前記照明機器が所定時に指定される第１の出力指示信号に応じて出力される光の光出力特性を、前記第１の出力指示信号に応じた基準値に補正する換算情報を記憶する記憶部と；
前記光を出力する光源部と；
前記光源部を動作させる際に指定される第２の出力指示信号を受信すると、前記換算情報を用いて、前記光出力特性を前記基準値に補正し、補正した光出力特性で前記光が出力されるよう前記光源部を制御する制御部と；
を具備することを特徴とする照明機器。
【請求項２】
前記光源部は、複数の原色光源を有し、
前記記憶部は、前記原色光源の全ての光出力最大特性を記憶し、
前記制御部は、前記原色光源の中の何れかの光出力特性を前記基準値に補正する
ことを特徴とする請求項１に記載の照明機器。
【請求項３】
前記換算情報は、
前記光の明度を前記基準値に換算する情報である
ことを特徴とする請求項１に記載の照明機器。
【請求項４】
前記照明機器は、前記照明機器とは別の照明機器が複数接続されている共通回線網に接続されており、
前記照明機器と、前記別の照明機器とは、前記共通回線網を介して共通の制御指示信号によって制御され、
前記制御部は、前記別の照明機器が有する光出力最大特性に応じて、前記照明機器が有する前記光出力特性を前記基準値に補正する
ことを特徴とする請求項１から３のいずれか１つに記載の照明機器。
【請求項５】
外部装置から前記換算情報を受信する通信部；
をさらに具備し、
前記制御部は、
前記通信部が受信した前記換算情報を前記記憶部に格納させる
ことを特徴とする請求項１から３のいずれか１つに記載の照明機器。
【請求項６】
性能評価用の出力指示信号に応じて照明機器が出力する光の光出力特性が、所定の特性値を満たすか否かを判別する判別ステップと；
前記判別の結果が所定の特性値を満たす合格判定の場合に、前記光出力特性を前記出力指示信号に応じた基準値に補正する換算情報を記憶部に記憶させる記憶ステップと；
を含むことを特徴とする照明器具設定方法。
【発明の詳細な説明】
【技術分野】
【０００１】
本発明の実施形態は、照明機器および照明器具設定方法に関する。
【背景技術】
【０００２】
従来、スタジオや舞台等は、複数の照明機器により様々な照明演出がなされている。ハロゲンランプ等の照明機器を用いた照明制御システムでは、複数のスタジオや舞台等で同様の照明演出を行う場合、移行元と同様のカラーフィルタを移行先の各照明機器に対して装着すれば、移行元と同様の操作を行うだけで照明演出を再現できる。
【０００３】
一方で、ＬＥＤ（Light  Emitting  Diode）照明など、色彩を制御できる照明機器の導入が進んでいるが、このような照明機器を制御する照明制御システムでは、同じ機種に全く同じレベルの制御信号を送っても、全く同じ色が出ないことがよく見受けられる。全く同じ色が出ない場合、照明機器単体でＲＧＢへの制御信号のレベルを微妙に調整する必要があるので、調整に長時間を要する。
【先行技術文献】
【特許文献】
【０００４】
【特許文献１】実公平６−９３６２号公報
【発明の概要】
【発明が解決しようとする課題】
【０００５】
本発明が解決しようとする課題は、容易に光出力特性を補正することができる照明機器および照明器具設定方法を提供することである。
【課題を解決するための手段】
【０００６】
実施形態に係る照明機器は、記憶部と、光源部と、制御部とを具備する。記憶部は、照明機器が所定時に指定される第１の出力指示信号に応じて出力される光の光出力特性を、第１の出力指示信号に応じた基準値に補正する換算情報を記憶し、光源部は、光を出力する。制御部は、光源部を動作させる際に指定される第２の出力指示信号を受信すると、換算情報を用いて、光出力特性を基準値に補正し、補正した光出力特性で光が出力されるよう光源部を制御する。
【図面の簡単な説明】
【０００７】
【図１】図１は、実施形態に係る照明制御システムの構成の一例を示すブロック図である。
【図２】図２は、実施形態に係る照明機器およびバトン装置の機能構成の一例を示すブロック図である。
【図３】図３は、実施形態に係る換算値の算出処理を説明するための図である。
【図４】図４は、実施形態に係る換算値テーブルの構成の一例を示す図である。
【図５】図５は、実施形態に係る換算値テーブルの照明機器への格納処理手順の一例を示すフローチャートである。
【図６】図６は、実施形態に係る照明機器における光出力処理手順の一例を示すフローチャートである。
【発明を実施するための形態】
【０００８】
以下で説明する実施形態に係る照明機器１０は、記憶部１３と、光源部１６と、制御部１５とを具備する。記憶部１３は、照明機器１０が所定時に指定される第１の出力指示信号に応じて出力される光の光出力特性を、第１の出力指示信号に応じた基準値に補正する換算情報を記憶し、光源部１６は、光を出力する。制御部１５は、光源部１６を動作させる際に指定される第２の出力指示信号を受信すると、換算情報を用いて、光出力特性を基準値に補正し、補正した光出力特性で光が出力されるよう光源部１６を制御する。
【０００９】
また、以下で説明する実施形態に係る照明機器１０において、光源部１６は、複数の原色光源を有し、記憶部１３は、原色光源の全ての光出力最大特性を記憶する。制御部１５は、原色光源の中の何れかの光出力特性を基準値に補正する。
【００１０】
また、以下で説明する実施形態に係る照明機器１０において、換算情報は、光の明度を基準値に換算する情報である。
【００１１】
また、以下で説明する実施形態に係る照明機器１０は、照明機器１０とは別の照明機器が複数接続されている共通回線網に接続されており、照明機器１０と、別の照明機器とは、共通回線網を介して共通の制御指示信号によって制御される。制御部１５は、別の照明機器が有する光出力最大特性に応じて、照明機器１０が有する光出力特性を基準値に補正する。
【００１２】
また、以下で説明する実施形態に係る照明機器１０は、外部装置から換算情報を受信する通信部１４をさらに具備する。制御部１５は、通信部１４が受信した換算情報を記憶部１３に格納させる。
【００１３】
また、以下で説明する実施形態に係る照明器具設定方法は、判別ステップと、記憶ステップとを含んでいる。判別ステップでは、性能評価用の出力指示信号に応じて照明機器が出力する光の光出力特性が、所定の特性値を満たすか否かを判別する。記憶ステップでは、判別の結果が所定の特性値を満たす合格判定の場合に、光出力特性を出力指示信号に応じた基準値に補正する換算情報を記憶部１３に記憶させる。
【００１４】
（実施形態）
［実施形態に係る照明制御システムの構成］
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、ハブ３０、ノード４０（４０−１〜４０−ｎ）操作卓（照明制御装置）５０、分電盤１００を有する。なお、照明制御システム１に接続される分電盤１００、照明機器１０、バトン装置２０およびノード４０の種別や数などは任意に設定できる。
【００１５】
照明制御システム１において、照明機器１０は、ＤＭＸ規格に従った通信プロトコルや、ＤＭＸ規格を拡張したＲＤＭ（Remote  Device  Management）規格に沿った通信方式により、バトン装置２０や操作卓５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。なお、照明機器１０としてＤＭＸ規格やＲＤＭ規格に非対応の機器（例えば、ハロゲンランプ）が、バトン装置２０に接続されてもよい。また、照明機器１０は、照明機器１０に電力を伝達する回路６０（６０−１〜６０−ｎ）を介して分電盤１００に接続される。これにより、照明機器１０は、分電盤１００から電力が供給される。
【００１６】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１７】
ノード４０−１〜４０−ｎは、それぞれバトン装置２０−１〜２０−ｎとハブ３０とに接続されており、バトン装置２０−１〜２０−ｎとハブ３０との間の通信を中継する。なお、各ノード４０−１〜４０−ｎは、それぞれバトン装置２０−１〜２０−ｎ内に配置されていてもよいし、バトン装置２０−１〜２０−ｎの外側に配置されていてもよい。
【００１８】
ハブ３０は、イーサネット（登録商標）等の有線または無線によるネットワークによって、操作卓５０と双方向通信が可能な態様で接続され、操作卓５０と各バトン装置２０−１〜２０−ｎとの通信を中継する中継器である。また、ハブ３０は、分電盤１００と双方向通信が可能な態様で接続され、操作卓５０と分電盤１００との間の通信を中継する。
【００１９】
操作卓５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、操作卓５０から制御情報を受信した場合に、制御情報をＤＭＸ規格やＲＤＭ規格に沿った制御信号（例えば、調光信号等）に変換し、制御アドレスが示す照明機器１０に対して制御信号を出力することで、照明機器１０−１〜１０−ｎの制御を行う。このように、操作卓５０は、制御アドレスを用いて、照明機器１０−１〜１０−ｎを遠隔制御する。
【００２０】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００２１】
［実施形態に係る照明機器およびバトン装置の構成］
続いて、図２を用いて、実施形態に係る照明機器１０およびバトン装置２０−１の機能構成の一例を説明する。図２は、実施形態に係る照明機器１０およびバトン装置２０−１の機能構成の一例を示すブロック図である。なお、以下の説明では、照明機器１０−２〜１０−ｎは、照明機器１０−１と同様の構成および機能を発揮するものとして、説明を省略する。また、バトン装置２０−２〜２０−ｎは、バトン装置２０−１と同様の構成および機能を発揮するものとして、説明を省略する。
【００２２】
まず、照明機器１０−１の構成について説明する。照明機器１０−１は、図２に示すように、回路６０−１を介して分電盤１００に接続され、電力が供給される。例えば、照明機器１０−１は、回路６０−１に対応するリレーが分電盤１００によってＯＮにされている場合に、電力が供給される。実施形態に係る照明機器１０−１は、記憶部１３、通信部１４、制御部１５、光源部１６を有する。
【００２３】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。
【００２４】
実施形態に係る記憶部１３へは、ＲＧＢＷ（Red、Green、Blue、White）が基準の色・明度と同じ色・明度を出力するための換算情報が格納されている。この換算情報は、照明機器１０−１が出力する光の光出力特性を補正するための情報である。以下では、換算情報が、操作卓５０からの光出力に関する制御指示である出力指示信号を補正するための換算値である場合について説明する。
【００２５】
記憶部１３へは、換算情報として、出力補正値のテーブルである換算値テーブル２００が格納されている。換算値テーブル２００内に格納されている各換算値は、照明機器１０−１が基準の色および基準の明度で光を出力するよう、照明機器１０−１が有する固有の光出力特性を補正するためのものである。
【００２６】
実施形態に係る照明機器１０−１は、記憶部１３内に格納されている換算値テーブル２００を用いて、色や明度などの光出力を補正する。実施形態に係る換算値テーブル２００では、操作卓５０からの光出力に関する制御指示である出力指示信号毎に換算値（出力補正値）が対応付けされて格納されている。
【００２７】
また、記憶部１３には、照明機器１０−１が有する固有の光出力特性が登録されてもよい。また、記憶部１３には、光出力特性の基準値が登録されてもよい。また、記憶部１３には、照明機器１０−１が出力する光の光出力最大特性が登録されてもよい。照明機器１０−１が出力する光の光出力最大特性は、自装置が出力することが可能な光の最大出力値などである。
【００２８】
照明機器１０−１の光出力特性や光出力最大特性は、照明機器１０−１の製造時や出荷時に個別に検出される。例えば、照明機器１０−１の光出力特性や光出力最大特性は、照明機器１０−１が製造される際に、所定の測定装置などを用いて測定され、記憶部１３に格納される。また、記憶部１３には、照明機器１０−１の照明機器情報が登録される。例えば、照明機器情報としては、製造会社名、機器型番、ＵＩＤ、ＤＭＸアドレスといった情報が含まれる。
【００２９】
ここで、製造会社名とは、照明機器１０の製造会社名である。機器型番とは、製造会社によって定められた照明機器１０の型番である。ＵＩＤとは、ＲＤＭ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、操作卓５０が照明機器１０を制御する際に用いる制御アドレスである。
【００３０】
通信部１４は、照明機器１０−１と操作卓５０との間の通信を制御する通信装置であり、例えば、ＮＩＣ（Network  Interface  Card）等により実現される。具体的には、通信部１４は、所定の有線コネクタを介し、ＲＤＭ規格に沿った通信方式でバトン装置２０−１との間で信号の送受信を行う有線通信機能と、無線ＬＡＮ（Local  Area  Network）等の無線通信網を介して、操作卓５０と通信を行う無線通信機能とを有する。また、通信部１４は、操作卓５０から送られてくる出力指示信号を受信し、受信した出力指示信号を制御部１５に送る。
【００３１】
制御部１５は、各照明機器１０が有する光源部１６の制御を行うデバイスである。例えば、操作卓５０は、照明機器１０−１の照明態様を制御する場合に、バトン装置２０−１を介して、照明機器１０−１に設定された制御アドレスと制御内容とを示す制御信号を照明機器１０−１に出力する。このような場合、制御部１５は、バトン装置２０−１から受信した制御信号に従って、光源部１６を制御する。
【００３２】
実施形態に係る制御部１５は、換算値テーブル２００を用いて操作卓５０からの出力指示信号を補正する。換言すると、制御部１５は、出力指示信号に対応する光出力（出力量）を、換算値テーブル２００を用いて補正する。
【００３３】
例えば、照明機器１０−１が、Ｖ１の出力指示信号に対してＰ１の光出力を行う光出力特性を有していたとする。また、照明機器１０−１に設定される光出力の基準値が、Ｖ１の出力指示信号に対してはＰ０であるとする。換言すると、オペレータが、照明機器１０−１に対しては、Ｖ１の出力指示信号に対してＰ０の光出力を行いたいとする。このような場合、記憶部１３へは、Ｖ１に対するＰ０／Ｐ１の換算値が格納される。そして、制御部１５は、操作卓５０からＶ１の出力指示信号が送られてくると、Ｐ０／Ｐ１の換算値を用いて光出力特性を補正する。具体的には、照明機器１０−１が出力するＰ１の光出力をＰ１×（Ｐ０／Ｐ１）＝Ｐ０に補正する。
【００３４】
また、操作卓５０は、各照明機器１０−１〜１０−ｎの照明機器情報を収集する場合に、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報を読出し、無線通信網を介して、読み出した照明機器情報を操作卓５０に送信する。
【００３５】
光源部１６は、照明機器１０−１が有する光源であり、制御部１５の制御に従って、照度、照明する範囲、色彩等を制御可能なＬＥＤ等の半導体発光素子により実現される。光源部１６は、赤色、緑色、青色などの複数の原色光源を備えている。なお、光源部１６には、いわゆるハロゲンランプ等が含まれていてもよい。
【００３６】
次に、バトン装置２０−１の構成について説明する。実施形態に係るバトン装置２０−１は、通信部２３および複数のポート２４−１〜２４−ｎを有する。通信部２３は、ハブ３０を介して、制御情報と制御信号との変換を行うことで、照明機器１０−１〜１０−ｎや操作卓５０との間の通信を中継する通信装置であり、例えば、ＮＩＣ等の通信装置によって実現される。
【００３７】
ポート２４−１〜２４−ｎは、それぞれを識別するためのポート番号「１」〜「ｎ」が付与されたポートであり、例えば、ＲＤＭ規格に従って照明機器１０−１〜１０−ｎと信号を送受信するための所定のコネクタである。
【００３８】
このように、照明機器１０−１〜１０−ｎは、通信部２３を介した共通回線網や、回路６０−１を介した共通回線網に接続されており、共通の制御指示信号によって制御される。
【００３９】
［実施形態に係る換算値の算出処理］
ここで、換算値テーブル２００に格納する換算値の算出処理について説明する。図３は、実施形態に係る換算値の算出処理を説明するための図である。なお、ここでは照明機器１０−１に対する換算値の算出処理について説明するが、照明機器１０−２〜１０―ｎも同様の算出処理によって換算値を算出することができる。
【００４０】
図３では、照明機器１０−１からの光出力と、操作卓５０からの出力指示信号との対応関係である光出力特性を示している。図３に示す光出力特性は、照明機器１０−１が有する照明機器１０−１に固有の光出力特性と、予め設定される基準の光出力特性である。照明機器１０−１の光出力特性は、照明機器１０−１が製造される際に、所定の測定装置などを用いて測定される。
【００４１】
図３の（ａ）は、赤色の光の光出力特性を示し、図３の（ｂ）は、緑色の光の光出力特性を示し、図３の（ｃ）は、青色の光の光出力特性を示している。また、図３の（ｄ）は、明度の光出力特性を示している。図３の（ａ）〜（ｃ）に示すグラフの横軸は、ＤＭＸの指示レベルを示す出力指示信号であり、縦軸は、光出力の大きさである。また、図３の（ｄ）に示すグラフの横軸は、ＤＭＸの指示レベルを示す出力指示信号であり、縦軸は、明るさである。出力指示信号は、０％〜１００％まで調整可能となっている。
【００４２】
図３の（ａ）に示す光出力特性１０１Ｒは、照明機器１０−１に固有の光出力特性であり、光出力特性１０２Ｒは、光出力の基準特性である。また、図３の（ｂ）に示す光出力特性１０１Ｇは、照明機器１０−１に固有の光出力特性であり、光出力特性１０２Ｇは、光出力の基準特性である。また、図３の（ｃ）に示す光出力特性１０１Ｂは、照明機器１０−１に固有の光出力特性であり、光出力特性１０２Ｂは、光出力の基準特性である。また、図３の（ｄ）に示す光出力特性１０５は、照明機器１０−１に固有の光出力特性であり、光出力特性１０６は、光出力の基準特性である。
【００４３】
実施形態の照明機器１０−１は、図３に示す基準特性で光を出力するよう各光の出力量（出力強度）を補正する。換言すると、照明機器１０−１は、照明機器１０−１に固有の光出力特性を、基準特性に対応する光出力特性に補正する。
【００４４】
照明機器１０−１は、例えば図３の（ａ）に示すように、赤色の光出力指示としてＸ１の出力指示信号が送られてきた場合に、Ｙ１の光出力を行う光出力特性を有している。この場合において、実施形態の照明機器１０−１は、基準値であるＹ２の光出力を行うよう光の出力量を補正する。この場合の換算値は、Ｙ１をＹ２に補正する値である。照明機器１０−１に対しては、赤色の光に対する出力指示信号毎（信号値毎）に換算値が算出される。
【００４５】
また、照明機器１０−１は、例えば図３の（ｂ）に示すように、緑色の光出力指示としてＸ２の出力指示信号が送られてきた場合に、Ｙ３の光出力を行う光出力特性を有している。この場合において、実施形態の照明機器１０−１は、基準値であるＹ４の光出力を行うよう光の出力量を補正する。この場合の換算値は、Ｙ３をＹ４に補正する値である。照明機器１０−１に対しては、緑色の光に対する出力指示信号毎（信号値毎）に換算値が算出される。
【００４６】
また、照明機器１０−１は、例えば図３の（ｃ）に示すように、青色の光出力指示としてＸ３の出力指示信号が送られてきた場合に、Ｙ５の光出力を行う光出力特性を有している。この場合において、実施形態の照明機器１０−１は、基準値であるＹ６の光出力を行うよう光の出力量を補正する。この場合の換算値は、Ｙ５をＹ６に補正する値である。照明機器１０−１に対しては、青色の光に対する出力指示信号毎（信号値毎）に換算値が算出される。
【００４７】
また、照明機器１０−１は、例えば図３の（ｄ）に示すように、明度の光出力指示としてＸ１０の出力指示信号が送られてきた場合に、Ｙ１０の明度を有した光を出力する光出力特性を有している。この場合において、実施形態の照明機器１０−１は、基準値であるＹ１１の光出力を行うよう光の明度（明るさ）を補正する。この場合の換算値は、Ｙ１０をＹ１１に補正する値である。照明機器１０−１に対しては、光に対する出力指示信号毎（信号値毎）に換算値が算出される。このように、換算値は、照明機器１０−１が製造される際などの所定時に指定される出力指示信号に応じて出力される光の光出力特性を、出力指示信号に応じた特性に補正する値である。
【００４８】
図３で説明した換算値は、所定の算出装置（コンピュータなど）を用いて算出される。具体的には、算出装置が、光出力特性１０１Ｒ，１０２Ｒに基づいて赤色の換算値を算出し、光出力特性１０１Ｇ，１０２Ｇに基づいて緑色の換算値を算出し、光出力特性１０１Ｂ，１０２Ｂに基づいて青色の換算値を算出する。また、算出装置が、光出力特性１０５，１０６に基づいて明度の換算値を算出する。
【００４９】
また、換算値テーブル２００は、所定の作成装置（コンピュータなど）によって作成される。具体的には、作成装置が、赤色の換算値、緑色の換算値、青色の換算値、明度の換算値を用いて、換算値テーブル２００を作成する。作成された換算値テーブル２００は、照明機器１０−１の出荷時までに記憶部１３に格納される。
【００５０】
［実施形態に係る換算値テーブル２００の構成］
ここで、換算値テーブル２００の構成について説明する。図４は、実施形態に係る換算値テーブル２００の構成の一例を示す図である。換算値テーブル２００は、出力指示信号と換算値とが対応付けされたテーブルである。換算値テーブル２００において、出力指示信号と換算値とは、赤色、緑色、青色、明度毎に対応付けされている。
【００５１】
例えば、赤色の出力指示信号であるＸＲ１は、換算値のＡ１に対応付けされている。また、緑色の出力指示信号であるＸＧ１は、換算値のＢ１に対応付けされている。また、青色の出力指示信号であるＸＢ１は、換算値のＣ１に対応付けされている。また、明度の出力指示信号であるＸｘ１は、換算値のＤ１に対応付けされている。
【００５２】
換算値テーブル２００は、照明機器１０−１〜１０−ｎ毎に作成される。そして、照明機器１０−１〜１０−ｎは、操作卓５０から出力指示信号が送られてきた場合に、自機器に対応付けされた換算値テーブル２００に基づいて、出力指示信号または光出力量を補正し、補正後の光を出力する。
【００５３】
照明機器１０−１は、操作卓５０から出力指示信号に基づいて光を出力した場合に、所望の色（波長、色温度など）で光を出力できない場合がある。これは、照明機器１０−１が出力する赤色、緑色、青色の少なくとも１つの光出力量が所望の量となっていないからである。実施形態の照明機器１０−１は、赤色、緑色、青色の少なくとも１つの光出力量を、換算値を用いて補正し、これにより所望の色を有した光を出力する。
【００５４】
また、照明機器１０−１は、操作卓５０から出力指示信号に基づいて光を出力した場合に、所望の明度で光を出力できない場合がある。これは、照明機器１０−１が出力する光の明度が所望の明度となっていないからである。実施形態の照明機器１０−１は、出力する光の明度（明るさ）を、換算値を用いて補正し、これにより所望の明度を有した光を出力する。
【００５５】
［実施形態に係る換算値テーブル２００の格納処理手順］
ここで、図５を用いて、実施形態に係る照明機器１０−１への換算値テーブル２００の格納処理の流れについて説明する。図５は、実施形態に係る換算値テーブル２００の照明機器１０−１への格納処理手順の一例を示すフローチャートである。
【００５６】
照明機器１０−１が製造される際に、所定の測定装置が、照明機器１０−１の光出力特性を測定する（ステップＳ１０）。このとき測定される光出力特性は、照明機器１０−１が出力する光の光出力量、色または明度などである。例えば、照明機器１０−１は、種々の出力指示信号に対して光の出力量および明度が測定される。これにより、照明機器１０−１に固有の光出力特性として、出力指示信号と光出力量との対応関係、出力指示信号と明度との対応関係が得られる。このように、実施形態の照明機器１０−１は、赤色、緑色、青色の色ごとの光出力特性と、明度に関する光出力特性とが測定される。
【００５７】
また、照明機器１０−１へは、光出力の基準値が予め設定される。この基準値は、任意の値が設定可能である。照明機器１０−１へは、例えば、赤色の光出力の基準値、緑色の光出力の基準値、青色の光出力の基準値および明度の基準値が設定される。
【００５８】
そして、所定の算出装置が、基準値を用いて換算値を算出する（ステップＳ２０）。これにより、赤色の換算値と、緑色の換算値と、青色の換算値と、明度の換算値とが算出される。
【００５９】
そして、算出された換算値と、出力指示信号とが対応付けされた換算値テーブル２００が作成される。この換算値テーブル２００は、記憶部１３に格納され（ステップＳ３０）、その後、照明機器１０−１が出荷される。
【００６０】
［実施形態に係る照明機器の光出力処理手順］
つぎに、図６を用いて、実施形態に係る照明機器１０−１による光出力処理の流れについて説明する。図６は、実施形態に係る照明機器１０−１における光出力処理手順の一例を示すフローチャートである。
【００６１】
オペレータが、操作卓５０に光の出力指示を入力すると、操作卓５０が照明機器１０−１に出力指示信号を送信する。この出力指示信号は、オペレータから出力レベルが指定された信号である。換言すると、ここでの出力指示信号は、光源部１６を動作させる際にオペレータによって指定される出力指示信号である。操作卓５０が出力指示信号を送信すると、照明機器１０−１の通信部１４が出力指示信号を受信する（ステップＳ１１０）。そして、通信部１４が、出力指示信号を制御部１５に送る。
【００６２】
実施形態に係る制御部１５は、出力指示信号に対応する換算値を換算値テーブル２００内から読み出す。そして、制御部１５は、読み出した換算値を用いて、光出力特性を補正する（ステップＳ１２０）。具体的には、制御部１５は、換算値を用いて、出力量および明度の少なくとも一方を補正する。制御部１５は、換算値を用いて出力指示信号を補正してもよいし、換算値を用いて光の出力量および明度を補正してもよい。制御部１５は、補正によって色および明度が調整された光を光源部１６から出力させる（ステップＳ１３０）。
【００６３】
［実施形態の変形例］
（換算値テーブルの格納タイミング）
上述してきた照明機器１０−１は、出荷の際に換算値テーブル２００が記憶部１３に格納された。換算値テーブル２００は、出荷後に記憶部１３に格納されてもよい。例えば、照明機器１０−１がバトン装置２０−１に接続され、照明機器１０−１が操作卓５０に接続された後に、換算値テーブル２００が記憶部１３に格納されてもよいし、換算値テーブル２００が修正されてもよい。この場合、操作卓５０が、換算値テーブル２００の格納指示や換算値テーブル２００の修正指示を、照明機器１０−１に送る。これにより、照明機器１０−１の制御部１５が、換算値テーブル２００の記憶部１３内への格納または換算値テーブル２００の修正を実行する。
【００６４】
例えば、照明制御システム１には、種々の機種の照明機器が接続される場合がある。このような場合において、照明機器の機種毎に光の色や明度が異なる場合がある。このような場合に、操作卓５０は、新しい換算値テーブル２００の格納指示や換算値テーブル２００の修正指示を照明機器１０−１に送る。例えば、実施形態で説明した照明機器１０−１以外の照明機器（以下、その他の照明機器という）が照明制御システム１に接続される場合がある。この場合、その他の照明機器が出力する光の色および明度を基準値として、換算値が算出される。そして、その他の照明機器に応じた換算値テーブル２００が生成されて記憶部１３に格納される。これにより、照明機器１０−１およびその他の照明機器に同じ出力指示信号が送られた場合に、照明機器１０−１およびその他の照明機器は、同じ色および明度の光を出力する。
【００６５】
（換算値テーブルの生成方法）
なお、換算値テーブル２００を生成する際には、出力指示信号と光出力とが比例関係にあると仮定して換算値が算出されてもよい。この場合、所定の大きさを有した出力指示信号と、この出力指示信号に対応する光出力と、に基づいて、換算値テーブル２００が生成される。例えば、出力指示信号の最大値（１００％）と、出力指示信号の最大値に対応する光出力と、に基づいて、換算値テーブル２００が生成される。
【００６６】
（第１の換算方法）
また、実施形態に係る制御部１５は、換算値テーブル２００を用いて操作卓５０からの出力指示信号を補正したが、数式（換算式）を用いて操作卓５０からの出力指示信号を補正してもよい。換言すると、換算情報は、換算値が格納された換算値テーブル２００に限られず、出力指示信号を基準値に換算することができる数式であってもよい。この場合、記憶部１３へは、図３などで説明した光出力特性を示す数式が格納される。そして、制御部１５は、記憶部１３に格納されている数式を用いて光出力特性を補正する。
【００６７】
（第２の換算方法）
実施形態の照明機器１０−１は、前述したように、照明機器１０−１の光出力特性、照明機器１０−１の光出力最大特性、または光出力特性の基準値を記憶部１３に格納しておいてもよい。記憶部１３に照明機器１０−１の光出力特性と、光出力特性の基準値と、が格納されている場合、制御部１５は、格納されているこれらの情報を用いて、出力指示信号を基準値に換算する。また、記憶部１３に照明機器１０−１の光出力最大特性と、光出力特性の基準値と、が格納されている場合、制御部１５は、格納されているこれらの情報を用いて、出力指示信号を基準値に換算する。このとき、制御部１５は、出力指示信号と光出力とが比例関係にあると仮定して出力指示信号を基準値に換算する。例えば、照明機器１０−１では、記憶部１３が、原色光源の全ての光出力最大特性を記憶しておき、制御部１５が、原色光源の中の何れかの光出力特性を基準値に補正する。このように、制御部１５は、照明機器１０−１の光出力特性を、基準値に基づいて、出力指示信号に応じた光出力特性に補正する。そして、制御部１５は、補正後の光出力特性を用いて、光源部１６を制御する。
【００６８】
なお、制御部１５は、照明機器１０−１の光出力特性や光出力最大特性と、光出力特性の基準値と、を用いて換算値または換算値テーブル２００を算出してもよい。この場合、制御部１５は、算出した換算値または換算値テーブル２００を記憶部１３に格納してもよい。
【００６９】
［その他］
実施形態で用いられる光源部１６は、基準値の光を出力するよう出力指示信号が補正されるので、光源部１６の製造時に基準値以上を出力することができれば、合格品としてよい。照明機器１０−１が製造される際には、性能評価用の出力指示信号に応じて照明機器１０−１が出力する光の光出力特性が、所定の特性値を満たすか否かが判別される。そして、判別の結果が所定の特性値を満たす合格判定である場合に、換算情報が記憶部１３格納される。
【００７０】
また、照明機器１０−１は、波長を測定しながら色補正をかける必要がないので、照明機器１０−１に光波長計を持たせておく必要がない。また、照明機器１０−１は、出荷後に波長を測定しないので、測定位置に起因する測定精度を考慮する必要がない。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１  照明制御システム
１０  照明機器
１３  記憶部
１４  通信部
１５  制御部
１６  光源部
２０  バトン装置
３０  ハブ
４０  ノード
５０  操作卓
６０  回路
１００  分電盤
２００  換算値テーブル
【図１】
2018055858.tif 000003
【図２】
2018055858.tif 000004
【図３】
2018055858.tif 000005
【図４】
2018055858.tif 000006
【図５】
2018055858.tif 000007
【図６】
2018055858.tif 000008